(57)【要約】    【課題】  屋根瓦の防水性を高めながら、成形性及び運搬性を向上させる。    【解決手段】  屋根瓦１２の表側縁部に形成された水返し１７に沿って窪み部１９を形成して、水返し１７周辺の屋根瓦１２の表面を低くする。これにより、水返し１７周辺の屋根瓦１２の表面（つまり窪み部１９の底面）に対して水返し１７の先端部を高くすることができ、防水性を向上させることができる。また、屋根瓦１２の裏面から水返し１７先端部までの高さ寸法を高くする場合に比べて、水返し１７を成形するキャビティの深さ寸法を浅くすることができるため、屋根瓦１２（水返し１７）の成形性を向上させることができると共に、出荷時に屋根瓦１２を１列に重ね合わせたときの寸法を小さくすることができて、１枚の運搬用パレットに載せることができる屋根瓦１２の枚数を多くすることができ、屋根瓦１２の運搬コストを低減することができる。    【選択図】  図２
2005299324.tif 000002
【特許請求の範囲】
【請求項１】
屋根瓦の表側縁部に水返しを形成した屋根瓦の防水構造において、
前記水返しに沿って前記屋根瓦の他の表面よりも窪んだ窪み部が形成されていることを特徴とする屋根瓦の防水構造。
【請求項２】
前記窪み部は、前記屋根瓦を施工したときに該窪み部の底面が該屋根瓦の中央方向に向かって下り傾斜となるように形成されていることを特徴とする請求項１に記載の屋根瓦の防水構造。
【請求項３】
前記窪み部は、前記屋根瓦の右縁部又は左縁部に形成された水返しに沿って形成されていることを特徴とする請求項１又は２に記載の屋根瓦の防水構造。
【請求項４】
前記窪み部は、前記屋根瓦の上縁部に形成された水返しに沿って形成されていることを特徴とする請求項１乃至３のいずれかに記載の屋根瓦の防水構造。
【発明の詳細な説明】
【技術分野】
【０００１】
本発明は、屋根瓦の表側縁部に水返しを形成した屋根瓦の防水構造に関するものである。
【背景技術】
【０００２】
従来の一般的な屋根瓦の防水構造は、屋根瓦を施工したときに屋根瓦の重なり合う部分で下側になる屋根瓦の表側縁部に水返しを形成することで、屋根瓦の重なり合う部分の隙間に雨水が浸入しても、その雨水を水返しで塞き止めて雨水が屋根瓦の裏側（屋根の下地側）に浸入することを防止するようにしている。
【０００３】
しかし、台風等で雨や風が強いときには、屋根瓦の重なり合う部分の隙間に吹き込む雨水が水返しを越えて屋根瓦の裏側（屋根の下地側）まで浸入してしまうことがあり、十分な防水性を得ることができないという問題があった。
【０００４】
そこで、例えば、特許文献１（特開２０００−５４５６６号公報）に記載されているように、屋根瓦の裏面から水返しの先端部までの高さ寸法を高くすることで、水返しを高くして、防水性を高めるようにしたものがある。
【特許文献１】特開２０００−５４５６６号公報（第２頁、第２図等）
【発明の開示】
【発明が解決しようとする課題】
【０００５】
しかし、上記特許文献１の防水構造では、屋根瓦の裏面から水返しの先端部までの高さ寸法を高くするため、次のような問題が発生する。
【０００６】
屋根瓦の裏面から水返しの先端部までの高さ寸法を高くすると、その分、屋根瓦を成形する成形型のうちの水返しを成形するキャビティの深さ寸法が深くなる。このため、屋根瓦を成形する際に、成形材料（粘土等）が水返しを成形するキャビティの先端部に到達しにくくなって、水返しを成形しにくくなる。
【０００７】
また、一般に、工場等から屋根瓦を出荷する際には、屋根瓦を１列に重ね合わせて結束した状態でパレットに載せて運搬するようにしている。しかし、屋根瓦の裏面から水返しの先端部までの高さ寸法を高くすると、屋根瓦を１列に重ね合わせたときの寸法が大きくなるため、１枚の運搬用パレットに載せることができる屋根瓦の枚数が少なくなってしまい、屋根瓦の運搬コストが高くなってしまう。
【０００８】
本発明は、これらの事情を考慮してなされたものであり、従って本発明の目的は、水返しを高くして防水性を高めながら、成形性向上及び運搬コスト低減の要求を満たすことができる屋根瓦の防水構造を提供することにある。
【課題を解決するための手段】
【０００９】
上記目的を達成するために、本発明の請求項１に記載の屋根瓦の防水構造は、屋根瓦の表側縁部に水返しを形成したものにおいて、水返しに沿って屋根瓦の他の表面よりも窪んだ窪み部を形成したものである。この構造では、水返しに沿って窪み部を形成することで、水返し周辺の屋根瓦の表面を低くすることができるため、屋根瓦の裏面から水返し先端部までの高さ寸法を高くしなくても、水返し周辺の屋根瓦の表面（つまり窪み部の底面）に対して水返しの先端部を高くすることができ、防水性を向上させることができる。
【００１０】
しかも、屋根瓦の裏面から水返し先端部までの高さ寸法を高くする場合に比べて、水返しを成形するキャビティの深さ寸法を浅くすることができるため、屋根瓦（水返し）の成形性を向上させることができる。また、屋根瓦の裏面から水返し先端部までの高さ寸法を高くせずに済むため、出荷時に屋根瓦を１列に重ね合わせたときの寸法を小さくすることができて、１枚の運搬用パレットに載せることができる屋根瓦の枚数を多くすることができ、屋根瓦の運搬コストを低減することができる。
【００１１】
この場合、請求項２のように、窪み部は、屋根瓦を施工したときに該窪み部の底面が該屋根瓦の中央方向に向かって下り傾斜となるように形成すると良い。このようにすれば、水返しで塞き止められた雨水が窪み部に流れ込んでも、その雨水を屋根瓦の中央方向に流すことができ、窪み部に雨水が溜まることを防止することができる。
【００１２】
また、請求項３のように、窪み部は、屋根瓦の右縁部又は左縁部に形成された水返しに沿って形成するようにすると良い。このようにすれば、屋根瓦を施工したときに屋根瓦の横方向で重なり合う部分の隙間に配置される水返しを高くすることができるため、屋根瓦の横方向で重なり合う部分の隙間の防水性を向上させることができる。
【００１３】
また、請求項４のように、窪み部は、屋根瓦の上縁部に形成された水返しに沿って形成するようにしても良い。このようにすれば、屋根瓦を施工したときに屋根瓦の縦方向で重なり合う部分の隙間に配置される水返しを高くすることができるため、屋根瓦の縦方向で重なり合う部分の隙間の防水性を向上させることができる。
【発明を実施するための最良の形態】
【００１４】
以下、本発明の一実施例を図面に基づいて説明する。
図４に示すように、屋根の桁行方向（屋根の傾斜方向と直角方向）に延びる瓦桟１１が釘、ビス等により所定の間隔で固定され、この瓦桟１１の上に、例えばＪ形の屋根瓦１２が、屋根の下部から上部に向かって順に取り付けられていると共に、屋根の左部から右部に向かって順に取り付けられている。
【００１５】
各屋根瓦１２は、屋根瓦１２の下側部がその下方に配置された屋根瓦１２の上側部に重なり合うように配置されると共に、屋根瓦１２の左側部がその左方に配置された屋根瓦１２の右側部に重なり合うように配置され、その状態で屋根瓦１２の上部に形成された固定用孔１３に、通常は、釘、ビス等の止め金具１４を挿通して打ち込むことで固定されている。尚、釘、ビス等の止め金具１４で固定されていない場合もある。
【００１６】
また、各屋根瓦１２の右下側角部と左上側角部には、それぞれ切り欠き部１５，１６が形成され、各屋根瓦１２の右下側角部の切り欠き部１５が、その斜め下方に配置された屋根瓦１２の左上側角部の切り欠き部１６に係合支持されている。
【００１７】
次に、図１乃至図３を用いて、屋根瓦１２の防水構造について説明する。
図１に示すように、各屋根瓦１２の表側右縁部には、水返し１７が上方に突出するように形成され、各屋根瓦１２の表側上縁部には、水返し１８が上方に突出するように形成されている。
【００１８】
図２に示すように、屋根瓦１２を施工した際に、屋根瓦１２の横方向で重なり合う部分では、下側になる屋根瓦１２の表側右縁部に形成された水返し１７が、上側になる屋根瓦１２の左側部で覆われるようになっている。更に、屋根瓦１２の表側右縁部に形成された水返し１７に沿って窪み部１９が屋根瓦１２の他の表面よりも窪むように形成されている。これにより、水返し１７周辺の屋根瓦１２の表面を低くして、水返し１７周辺の屋根瓦１２の表面（つまり窪み部１９の底面）に対して水返し１７の先端部を高くするようにしている。また、この窪み部１９は、屋根瓦１２を施工したときに窪み部１９の底面が屋根瓦１２の中央方向に向かって下り傾斜となるように形成されている。
【００１９】
一方、図３に示すように、屋根瓦１２を施工した際に、屋根瓦１２の縦方向で重なり合う部分では、下側になる屋根瓦１２の表側上縁部に形成された水返し１８が、上側になる屋根瓦１２の下側部で覆われるようになっている。更に、屋根瓦１２の表側上縁部に形成された水返し１８に沿って窪み部２０が屋根瓦１２の他の表面よりも窪むように形成されている。これにより、水返し１８周辺の屋根瓦１２の表面を低くして、水返し１８周辺の屋根瓦１２の表面（つまり窪み部２０の底面）に対して水返し１８の先端部を高くするようにしている。また、この窪み部２０は、屋根瓦１２を施工したときに窪み部２０の底面が屋根瓦１２の中央方向に向かって下り傾斜となるように形成されている。
【００２０】
以上説明した本実施例では、水返し１７，１８に沿って窪み部１９，２０を形成したので、水返し１７，１８周辺の屋根瓦１２の表面を低くすることができて、水返し１７，１８周辺の屋根瓦１２の表面（つまり窪み部１９，２０の底面）に対して水返し１７，１８の先端部を高くすることができ、防水性を向上させることができる。
【００２１】
しかも、屋根瓦の裏面から水返し先端部までの高さ寸法を高くする場合に比べて、水返し１７，１８を成形するキャビティの深さ寸法を浅くすることができるため、屋根瓦１２（水返し１７，１８）の成形性を向上させることができる。また、屋根瓦の裏面から水返し先端部までの高さ寸法を高くせずに済むため、出荷時に屋根瓦１２を１列に重ね合わせたときの寸法を小さくすることができて、１枚の運搬用パレットに載せることができる屋根瓦１２の枚数を多くすることができ、屋根瓦１２の運搬コストを低減することができる。
【００２２】
また、本実施例では、屋根瓦１２を施工したときに窪み部１９，２０の底面が屋根瓦１２の中央方向に向かって下り傾斜となるようにしたので、水返し１７，１８で塞き止められた雨水が窪み部１９，２０に流れ込んでも、その雨水を屋根瓦１２の中央方向に流すことができ、窪み部１９，２０に雨水が溜まることを防止することができる。
しかしながら、屋根瓦１２を施工したときに窪み部１９，２０の底面が屋根瓦１２の中央方向に向かって下り傾斜にならない構成としても良い。
【００２３】
更に、本実施例では、屋根瓦１２の右縁部にの水返し１７に沿って窪み部１９を形成すると共に、屋根瓦１２の上縁部の水返し１８に沿って窪み部２０を形成するようにしたので、屋根瓦１２を施工したときに屋根瓦１２の横方向で重なり合う部分の隙間に配置される水返し１７と屋根瓦１２の縦方向で重なり合う部分の隙間に配置される水返し１８の両方を高くすることができ、屋根瓦１２の横方向で重なり合う部分の隙間と屋根瓦１２の縦方向で重なり合う部分の隙間の両方の防水性を向上させることができる。
【００２４】
しかしながら、屋根瓦１２の右縁部の水返し１７と上縁部の水返し１８のうちの一方だけに沿って窪み部を形成するようにしても良い。
また、屋根瓦１２の左縁部に水返しを形成する場合には、屋根瓦１２の左縁部の水返しに沿って窪み部を形成するようにしても良い。
【００２５】
その他、本発明は、水返しや窪み部の形状等を適宜変更しても良い等、要旨を逸脱しない範囲で種々変更して実施できる。
【図面の簡単な説明】
【００２６】
【図１】本発明の一実施例における屋根瓦の平面図である。
【図２】屋根瓦の横方向で重なり合う部分の防水構造を示す縦断面図である。
【図３】屋根瓦の縦方向で重なり合う部分の防水構造を示す縦断面図である。
【図４】屋根瓦の取付構造を示す斜視図である。
【符号の説明】
【００２７】
１２…屋根瓦、１３…固定用孔、１５，１６…切り欠き部、１７，１８…水返し、１９，２０…窪み部
【図１】
2005299324.tif 000003
【図２】
2005299324.tif 000004
【図３】
2005299324.tif 000005
【図４】
2005299324.tif 000006